(57)【特許請求の範囲】
【請求項１】
特定の無線ベアラに対して、所定のタイミングで特定の移動局宛てのデータを送信する固定的割り当てスケジューリング、又は、受信状態の良い移動局宛てのデータに対して送信機会を割り当てる非固定的割り当てスケジューリングを使用するように構成されているスケジューリング手段と、
前記固定的割り当てスケジューリングで使用される制御情報を生成するように構成されている制御情報生成手段と、
移動局に対して、前記制御情報を通知するように構成されている制御情報通知手段と、
前記特定の無線ベアラに対して使用するスケジューリングを、前記非固定的割り当てスケジューリングから前記固定的割り当てスケジューリングに切り替えることを、前記移動局に通知するように構成されている切り替え通知手段とを備え、
前記スケジューリング手段は、前記移動局からの伝搬路状態測定用信号に基づいて、前記特定の無線ベアラにおける受信品質が所定閾値以下であると判断した場合に、該特定の無線ベアラに対して使用するスケジューリングを、前記非固定的割り当てスケジューリングから前記固定的割り当てスケジューリングに切り替えるように構成されていることを特徴とする基地局。
【請求項２】
特定の無線ベアラに対して、所定のタイミングで特定の移動局宛てのデータを送信する固定的割り当てスケジューリング、又は、受信状態の良い移動局宛てのデータに対して送信機会を割り当てる非固定的割り当てスケジューリングを使用するように構成されているスケジューリング手段と、
前記固定的割り当てスケジューリングで使用される制御情報を生成するように構成されている制御情報生成手段と、
移動局に対して、前記制御情報を通知するように構成されている制御情報通知手段と、
前記特定の無線ベアラに対して使用するスケジューリングを、前記非固定的割り当てスケジューリングから前記固定的割り当てスケジューリングに切り替えることを、前記移動局に通知するように構成されている切り替え通知手段と、
前記移動局からのパイロット信号に基づいて、該移動局の移動速度を検出するように構成されている移動速度検出手段と
を備え、
前記スケジューリング手段は、前記移動局の移動速度が所定閾値以上であると判断した場合に、該特定の無線ベアラに対して使用するスケジューリングを、前記非固定的割り当てスケジューリングから前記固定的割り当てスケジューリングに切り替えるように構成されていることを特徴とする基地局。
【請求項３】
特定の無線ベアラに対して、所定のタイミングで特定の移動局宛てのデータを送信する固定的割り当てスケジューリング、又は、受信状態の良い移動局宛てのデータに対して送信機会を割り当てる非固定的割り当てスケジューリングを使用するように構成されているスケジューリング手段と、
前記固定的割り当てスケジューリングで使用される制御情報を生成するように構成されている制御情報生成手段と、
移動局に対して、前記制御情報を通知するように構成されている制御情報通知手段と、
前記特定の無線ベアラに対して使用するスケジューリングを、前記非固定的割り当てスケジューリングから前記固定的割り当てスケジューリングに切り替えることを、前記移動局に通知するように構成されている切り替え通知手段と、
を備え、
前記スケジューリング手段は、前記移動局における前記制御情報の受信状態に基づいて、前記特定の無線ベアラに対して使用するスケジューリングを、前記固定的割り当てスケジューリングから前記非固定的割り当てスケジューリングに切り替えるように構成されていることを特徴とする基地局。
【請求項４】
前記制御情報通知手段は、前記特定の無線ベアラが設定された場合に、前記移動局に対して、前記固定的割り当てスケジューリングで使用される制御情報を通知するように構成されていることを特徴とする請求項１乃至３の何れか一項に記載の基地局。
【請求項５】
前記制御情報通知手段は、ＲＲＣシグナリングにより、前記移動局に対して、前記制御情報を通知するように構成されていることを特徴とする請求項１乃至３の何れか一項に記載の基地局。
【請求項６】
前記切り替え通知手段は、ＲＲＣシグナリングにより、前記特定の無線ベアラに対して使用するスケジューリングを、前記非固定的割り当てスケジューリングから前記固定的割り当てスケジューリングに切り替えることを、前記移動局に通知することを特徴とする請求項１乃至３の何れか一項に記載の基地局。
【請求項７】
前記切り替え通知手段は、ＭＡＣ  ｃｏｎｔｒｏｌ  ＰＤＵにより、前記特定の無線ベアラに対して使用するスケジューリングを、前記非固定的割り当てスケジューリングから前記固定的割り当てスケジューリングに切り替えることを、前記移動局に通知するように構成されていることを特徴とする請求項１乃至３の何れか一項に記載の基地局。
【請求項８】
特定の無線ベアラに対して、所定のタイミングで特定の移動局宛てのデータを送信する固定的割り当てスケジューリングで使用される制御情報を生成する工程と、
移動局に対して、前記制御情報を通知する工程と、
前記移動局からの伝搬路状態測定用信号に基づいて、前記特定の無線ベアラにおける受信品質が所定閾値以下であると判断した場合に、該特定の無線ベアラに対して使用するスケジューリングを、非固定的割り当てスケジューリングから前記固定的割り当てスケジューリングに切り替えることを、前記移動局に通知する工程と
を有することを特徴とするスケジューリング方法。
【請求項９】
特定の無線ベアラに対して、所定のタイミングで特定の移動局宛てのデータを送信する固定的割り当てスケジューリングで使用される制御情報を生成する工程と、
移動局に対して、前記制御情報を通知する工程と、
前記移動局からのパイロット信号に基づいて、該移動局の移動速度を検出する工程と、
前記移動局の移動速度が所定閾値以上であると判断した場合に、該特定の無線ベアラに対して使用するスケジューリングを、非固定的割り当てスケジューリングから前記固定的割り当てスケジューリングに切り替えることを、前記移動局に通知する工程と
を有することを特徴とするスケジューリング方法。
【請求項１０】
特定の無線ベアラに対して、所定のタイミングで特定の移動局宛てのデータを送信する固定的割り当てスケジューリングで使用される制御情報を生成する工程と、
移動局に対して、前記制御情報を通知する工程と、
前記移動局における前記制御情報の受信状態に基づいて、前記特定の無線ベアラに対して使用するスケジューリングを、前記固定的割り当てスケジューリングから非固定的割り当てスケジューリングに切り替えることを、前記移動局に通知する工程と
を有することを特徴とするスケジューリング方法。
【発明の詳細な説明】
【技術分野】
【０００１】
本発明は、基地局及びスケジューリング方法に関する。
【背景技術】
【０００２】
リアルタイムサービスにおいて、アプリケーションの特徴、例えば、ＶｏＩＰ（Ｖｏｉｃｅ  ｏｖｅｒ  Ｉｎｔｅｒｎｅｔ  Ｐｒｏｔｏｃｏｌ）の特徴等は、ＱｏＳ関連の属性（ａｔｔｒｉｂｕｔｅ）として、各無線ベアラ（ＲＢ：  Ｒａｄｉｏ  ｂｅａｒｅｒ）に対してマッピングされる。したがって、ＭＡＣ層においてアプリケーション種別の推定は行われないと仮定される。【０００３】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）では、ＴＴＩ（Ｔｒａｎｓｍｉｓｓｉｏｎ  Ｔｉｍｅ  Ｉｎｔｅｒｖａｌ）毎に、ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）によって、移動局宛ての下りリンクデータに対して送信機会が割り当てられたことを通知するように構成されている。【０００４】
すなわち、ＨＳＤＰＡでは、下りリンクデータの送信に先立ち、ＨＳ-ＳＣＣＨを送信することによって、事前に、移動局に対して、下りリンクデータに対する割り当て情報（スケジューリング情報）を通知し、自局宛ての下りリンクデータに対して送信機会が割り当てられていることを検出した移動局は、かかる下りリンクデータに対する割り当て情報（スケジューリング情報）に基づいて、当該下りリンクデータに対する復号処理を行う。【０００５】
しかし、音声のような特徴を有するトラヒックでは、例えば、数十ｍｓに１回、下りリンクデータが送信されるので、ＨＳ-ＳＣＣＨ相当のチャネル（シグナリングチャネル）を用いて、下りリンクデータに対する割り当て情報（スケジューリング情報）を通知するようにした場合、シグナリングチャネルにおけるオーバヘッドが大きくなり、効率的ではない。【０００６】
そこで、「ｅｖｏｌｖｅｄ  ＵＴＲＡ」の標準化では、アプリケーションの特徴に応じて、一定周期毎に、下りリンクデータの送信機会を割り当てる「固定的割り当てスケジューリング（Ｐｅｒｓｉｓｔｅｎｔ  Ｓｃｈｅｄｕｌｉｎｇ）」が提案されている。【０００７】
例えば、「固定的割り当てスケジューリング」では、無線ベアラの属性として、「固定的割り当てスケジューリングの適用可否（割当周期）」が設定されるように構成されている。【０００８】
ここで、設定できる割当周期の単位は、フレーム単位（Ｎ×１０ｍｓｅｃ：  Ｎは、Ｎ＞０の整数）である。なお、割当周期が「０」である場合には、「固定的割り当てスケジューリング」は適用されない。【０００９】
かかる「ｅｖｏｌｖｅｄ  ＵＴＲＡ」において、ＶｏＩＰ等のトラヒックパターンが既知であるデータを送信し、ＨＳＤＰＡにおけるＨＳ-ＳＣＣＨに相当するシグナリングチャネルを介して当該下りリンクデータに対する割り当て情報（スケジューリング情報）を送信する場合、かかるシグナリングチャネルによるオーバヘッドが増大するという問題点がある。【００１０】
また、かかる「ｅｖｏｌｖｅｄ  ＵＴＲＡ」において、ＶｏＩＰを利用するユーザ（移動局）が増加した場合、かかるシグナリングチャネルによるオーバヘッドが相対的に増加するため、システム容量が逼迫するという問題点がある。【００１１】
そのため、上述したように、ＶｏＩＰ等のトラヒックパターンが既知であるデータを送信する場合に、ＨＳＤＰＡにおけるＨＳ-ＳＣＣＨに相当するシグナリングチャネルを介したスケジューリング情報の送信頻度を減らすことができる「固定的割り当てスケジューリング」が提案され、かかる「固定的割り当てスケジューリング」と、ＴＴＩ毎に無線通信状態の良いユーザ（移動局）宛てのデータに対して送信機会を割り当てる「通常スケジューリング」とを併用することが提案されている。【００１２】
しかしながら、上述した背景技術には、以下の問題点がある。【００１３】
シャドウイングや高速移動等で、一時的に、ＨＳＤＰＡにおけるＨＳ-ＳＣＣＨに相当するＬ１/Ｌ２制御チャネルにおける受信品質が大きく劣化する場合がある。この場合、移動局は、自局宛てのデータが存在する場合であっても、Ｌ１/Ｌ２制御チャネルを介して送信される当該データに対する割り当て情報（スケジューリング情報）を受信することができない。【００１４】
また、次世代システムである「ＵＴＲＡ-ＵＴＲＡＮ  ＬＴＥ（Ｌｏｎｇ  Ｔｅｒｍ  Ｅｖｏｌｕｔｉｏｎ）」が適用されるシステムでは、１サブフレームの先頭からの複数シンボルが、Ｌ１/Ｌ２制御チャネル用に割り当てられることが想定されているが、かかるＬ１/Ｌ２制御チャネルに割り当てることができる無線リソースには限界があるため、Ｌ１/Ｌ２制御チャネルにおける受信品質を良くしようとしても限界がある。【００１５】
一方、データチャネルの場合、送信すべきデータの符号化率を変更し、例えば、低い符号率で当該データを符号化することによって、誤り耐性を高くすることができる。また、データチャネルの場合、かかるデータを繰り返し送信することによって、Ｌ１/Ｌ２制御チャネルと比較して、受信品質を向上させるための方法に対する自由度が高い。【００１６】
このため、Ｌ１/Ｌ２制御チャネルを介して送信されるスケジューリング情報（例えば、データに対する割り当て情報）を受信できない場合であっても、データチャネルを介して送信されるデータについては受信することができる場合もある。
【発明の開示】
【００１７】
そこで、本発明は、以上の点に鑑みてなされたもので、「固定的割り当てスケジューリング」と「通常スケジューリング」とが併用されている場合において、上述のシグナリングチャネルの受信状況に基づいて、使用すべきスケジューリングを「通常スケジューリング」から「固定的割り当てスケジューリング」に切り替えることができる基地局及びスケジューリング方法を提供することを目的とする。
【００１８】
本発明の第１の特徴は、特定の無線ベアラに対して、所定のタイミングで特定の移動局宛てのデータを送信する固定的割り当てスケジューリング、又は、受信状態の良い移動局宛てのデータに対して送信機会を割り当てる非固定的割り当てスケジューリングを使用するように構成されているスケジューリング手段と、前記固定的割り当てスケジューリングで使用される制御情報を生成するように構成されている制御情報生成手段と、移動局に対して、前記制御情報を通知するように構成されている制御情報通知手段と、前記特定の無線ベアラに対して使用するスケジューリングを、前記非固定的割り当てスケジューリングから前記固定的割り当てスケジューリングに切り替えることを、前記移動局に通知するように構成されている切り替え通知手段とを備え、前記スケジューリング手段は、前記移動局における前記制御情報の受信状態に基づいて、前記特定の無線ベアラに対して使用するスケジューリングを、前記非固定的割り当てスケジューリングから前記固定的割り当てスケジューリングに切り替えるように構成されていることを要旨とする。
【００１９】
本発明の第１の特徴において、前記スケジューリング手段は、前記移動局からの伝搬路状態測定用信号に基づいて、前記特定の無線ベアラにおける受信品質が所定閾値以下であると判断した場合に、該特定の無線ベアラに対して使用するスケジューリングを、前記非固定的割り当てスケジューリングから前記固定的割り当てスケジューリングに切り替えるように構成されていてもよい。
【００２０】
本発明の第１の特徴において、前記移動局からのパイロット信号に基づいて、該移動局の移動速度を検出するように構成されている移動速度検出手段を備え、前記スケジューリング手段は、前記移動局の移動速度が所定閾値以上であると判断した場合に、該特定の無線ベアラに対して使用するスケジューリングを、前記非固定的割り当てスケジューリングから前記固定的割り当てスケジューリングに切り替えるように構成されていてもよい。
【００２１】
本発明の第１の特徴において、前記制御情報通知手段は、前記特定の無線ベアラが設定された場合に、前記移動局に対して、前記固定的割り当てスケジューリングで使用される制御情報を通知するように構成されていてもよい。
【００２２】
本発明の第１の特徴において、前記制御情報通知手段は、ＲＲＣシグナリングにより、前記移動局に対して、前記制御情報を通知するように構成されていてもよい。
【００２３】
本発明の第１の特徴において、前記切り替え通知手段は、ＲＲＣシグナリングにより、前記特定の無線ベアラに対して使用するスケジューリングを、前記非固定的割り当てスケジューリングから前記固定的割り当てスケジューリングに切り替えることを、前記移動局に通知するように構成されていてもよい。
【００２４】
本発明の第１の特徴において、前記切り替え通知手段は、ＭＡＣ  ｃｏｎｔｒｏｌ  ＰＤＵにより、前記特定の無線ベアラに対して使用するスケジューリングを、前記非固定的割り当てスケジューリングから前記固定的割り当てスケジューリングに切り替えることを、前記移動局に通知するように構成されていてもよい。
【００２５】
本発明の第１の特徴において、前記スケジューリング手段は、前記移動局における前記制御情報の受信状態に基づいて、前記特定の無線ベアラに対して使用するスケジューリングを、前記固定的割り当てスケジューリングから前記非固定的割り当てスケジューリングに切り替えるように構成されていてもよい。
【００２６】
本発明の第２の特徴は、スケジューリング方法であって、特定の無線ベアラに対して、所定のタイミングで特定の移動局宛てのデータを送信する固定的割り当てスケジューリングで使用される制御情報を生成する工程と、移動局に対して、前記制御情報を通知する工程と、前記移動局における前記制御情報の受信状態に基づいて、前記特定の無線ベアラに対して使用するスケジューリングを、受信状態の良い移動局宛てのデータに対して送信機会を割り当てる非固定的割り当てスケジューリングから前記固定的割り当てスケジューリングに切り替えることを、前記移動局に通知する工程とを有することを要旨とする。
【図面の簡単な説明】
【００２７】
【図１】図１は、本発明の一実施例に係る基地局の機能ブロック図である。
【図２】図２は、スケジューリング情報の一例を示す説明図である。
【図３】図３は、本発明の一実施例に係る移動局の機能ブロック図である。
【図４】図４は、本発明の一実施例に係る基地局の動作を示すフローチャートである。
【図５】図５は、本発明の一実施例に係る基地局における送信タイミングを示す説明図である。
【図６】図６は、本発明の変更例に係る基地局の動作を示すフローチャートである。
【発明を実施するための最良の形態】
【００２８】
次に、本発明の実施例について図面を参照して説明する。なお、本実施例を説明するための全図において、同一機能を有するものは同一符号を用い、繰り返しの説明は省略する。【００２９】
以下、図１乃至図３を参照して、本実施例に係る移動通信システムについて説明する。【００３０】
本実施例に係る移動通信システムは、基地局（ｅＮｏｄｅＢ）１００と、当該基地局（ｅＮｏｄｅＢ）１００と無線通信可能である移動局２００とを備える。【００３１】
本実施例に係る基地局（ｅＮｏｄｅＢ）１００について、図１を参照して説明する。【００３２】
基地局（ｅＮｏｄｅＢ）１００は、受信部１０２と、受信品質・移動速度検出部１０４と、スケジューラ１０６と、データバッファ１０８と、スケジューリング情報生成部１１０と、送信部１１２と、ＲＲＣ制御部１１４と、ＭＡＣ制御部１１６とを備える。【００３３】
受信部１０２は、移動局２００によって送信されたパイロット信号や、伝搬路状態測定用信号（例えば、Ｍｅａｓｕｒｅｍｅｎｔ報告やＣＱＩレポート等）を受信し、受信品質・移動速度検出部１０４に入力するように構成されている。【００３４】
受信品質・移動速度検出部１０４は、受信部１０２により入力された情報に基づいて、受信品質及び移動速度の少なくとも一方を検出するように構成されている。【００３５】
例えば、受信品質・移動速度検出部１０４は、入力されたＭｅａｓｕｒｅｍｅｎｔ報告に含まれているＳＩＲ測定レポートに基づいて、移動局２００におけるスケジューリング情報の受信品質を推定するように構成されている。【００３６】
ここで、Ｍｅａｓｕｒｅｍｅｎｔ報告には、スケジューリング情報の受信品質（例えば、Ｌ１/Ｌ２制御チャネルにおける受信誤り数や受信誤り率等）が含まれていてもよい。【００３７】
また、受信品質・移動速度検出部１０４は、入力されたＣＱＩレポートに基づいて、移動局２００におけるスケジューリング情報の受信品質を推定するように構成されていてもよい。【００３８】
ここで、ＣＱＩ（Ｃｈａｎｎｅｌ  Ｑｕａｌｉｔｙ  Ｉｎｄｉｃａｔｏｒ）とは、基地局（ｅＮｏｄｅＢ）１００と移動局２００との間の無線チャネルの通信状態を示す識別子である。【００３９】
また、受信品質・移動速度検出部１０４は、入力されたパイロット信号に基づいて、ドップラースプレッドを求め、移動局２００の移動速度を検出するように構成されていてもよい。【００４０】
受信品質・移動速度検出部１０４は、検出した結果をスケジューラ１０６に入力するように構成されている。【００４１】
スケジューラ１０６は、ＶｏＩＰ等のトラヒックパターンが既知であるデータを送信する場合に、ＨＳＤＰＡにおけるＨＳ-ＳＣＣＨに相当するシグナリングチャネルを介したシグナリング情報（スケジューリング情報）の送信頻度を減らすことができる「固定的割り当てスケジューリング」と、ＴＴＩ毎に無線通信状態の良いユーザ（移動局）に対してデータの送信機会を割り当てる「非固定的割り当てスケジューリング（通常スケジューリング）」とを併用するように構成されている。【００４２】
スケジューラ１０６は、所定の条件に基づいて、使用すべきスケジューリングを「通常スケジューリング」から「固定的割り当てスケジューリング」に切り替えるべきであると判断する。かかる判断は、ＲＲＣ制御部１１４によって行われるように構成されていてもよい。【００４３】
また、スケジューラ１０６は、所定の条件に基づいて、使用すべきスケジューリングを「固定的割り当てスケジューリング」から「通常スケジューリング」に切り替えるべきであると判断してもよい。かかる判断は、ＲＲＣ制御部１１４によって行われるように構成されていてもよい。【００４４】
スケジューラ１０６は、使用すべきスケジューリングを「通常スケジューリング」から「固定的割り当てスケジューリング」に切り替えるべきであると判断した場合、ＲＲＣ制御部１１４に対して、その旨を通知するための切り替え通知を移動局２００に送信するように命令する。【００４５】
上述したように、シャドウイングや高速移動等で、一時的に、Ｌ１/Ｌ２制御チャネルを介して送信されるスケジューリング情報の受信品質が大きく劣化する場合がある。【００４６】
かかる場合、「通常スケジューリング」によって移動局宛てのデータに対して送信機会が割り当てられている場合であっても、かかる移動局は、Ｌ１/Ｌ２制御チャネルを介して送信されるスケジューリング情報を受信することができず、かかる移動局宛てのデータを受信することができない。【００４７】
一方、データチャネルの場合、送信すべきデータの符号化率を変更し、例えば、低い符号率で当該データを符号化することによって、誤り耐性を高くすることができる。また、当該データを繰り返し送信することによって、Ｌ１/Ｌ２制御チャネルと比較して、受信品質を向上させるための方法に対する自由度が高い。このため、Ｌ１/Ｌ２制御チャネルを介して送信されるスケジューリング情報を受信できない場合であっても、データチャネルを介して送信されるデータを受信できる場合もある。【００４８】
そこで、本実施例においては、「固定的割り当てスケジューリング」により送信されるトラヒックパターンが既知であるデータ以外のデータ、例えば、「通常スケジューリング」により送信されるデータや、トラヒックパターンが既知でないデータに対しても、移動局において、スケジューリング情報の受信品質が悪いと判断された場合には、「固定的割り当てスケジューリング」が適用される。【００４９】
このようにすることにより、スケジューリング情報によって、無線リソースの割り当て情報を通知しなくても、データを送信することができる。【００５０】
例えば、スケジューラ１０６は、受信品質・移動速度検出部１０４によって入力された受信品質検出結果及び移動速度検出結果の少なくとも一方に基づいて、使用すべきスケジューリングを「通常スケジューリング」から「固定的割り当てスケジューリング」に切り替えるべきか否かについて判断する。【００５１】
また、スケジューラ１０６は、受信品質・移動速度検出部１０４によって入力された受信品質検出結果及び移動速度検出結果の少なくとも一方に基づいて、使用すべきスケジューリングを「固定的割り当てスケジューリング」から「通常スケジューリング」に切り替えるべきか否かについて判断してもよい。【００５２】
また、ＲＲＣ制御部１１４が、使用すべきスケジューリングを「通常スケジューリング」から「固定的割り当てスケジューリング」に切り替えるべきか否かについて判断する場合、ＲＲＣ制御部１１４は、受信品質・移動速度検出部１０４によってスケジューラ１０６に入力された受信品質検出結果及び移動速度検出結果の少なくとも一方を参照して、かかる判断を行う。【００５３】
以下、本実施例では、スケジューラ１０６が、上述の判断を行う場合について説明するが、本発明は、ＲＲＣ制御部１１４によって上述の判断が行われる場合にも適用できる。この場合、ＲＲＣ制御部１１４は、かかる判断結果を、スケジューラ１０６に通知する。【００５４】
具体的には、スケジューラ１０６は、受信品質検出結果に基づいて、Ｌ１/Ｌ２制御チャネルにおける受信品質（例えば、受信誤り数や受信誤り率等）が所定閾値以下であると判断した場合に、移動局１００においてスケジューリング情報の受信誤り率が大きくなると判断し、使用すべきスケジューリングを「通常スケジューリング」から「固定的割り当てスケジューリング」に切り替えるべきであると判断する。【００５５】
その後、スケジューラ１０６は、受信品質検出結果に基づいて、Ｌ１/Ｌ２制御チャネルにおける受信品質（例えば、受信誤り数や受信誤り率等）が所定閾値以上になったと判断した場合に、移動局１００においてＬ１/Ｌ２制御チャネルにおける受信品質が良くなったと判断し、使用すべきスケジューリングを「固定的割り当てスケジューリング」から「通常スケジューリング」に切り替えるべきであると判断してもよい。【００５６】
また、スケジューラ１０６は、移動速度検出結果に基づいて、移動局２００の移動速度が所定閾値以上であると判断した場合に、移動局２００がスケジューリング情報の信頼性が保証できない領域に移動すると判断し、使用すべきスケジューリングを「通常スケジューリング」から「固定的割り当てスケジューリング」に切り替えるべきであると判断する。【００５７】
その後、スケジューラ１０６は、移動速度検出結果に基づいて、移動局２００の移動速度が所定閾値未満になったと判断した場合に、移動局２００がスケジューリング情報の信頼性が保証できない領域に移動する可能性が低くなったと判断し、使用すべきスケジューリングを「固定的割り当てスケジューリング」から「通常スケジューリング」に切り替えるべきであると判断してもよい。【００５８】
スケジューラ１０６は、使用すべきスケジューリングを「通常スケジューリング」から「固定的割り当てスケジューリング」に切り替えるべきであると判断した場合、ＲＲＣ制御部１１４において予め設定されているパラメータ（後述）に従って、「固定的割り当てスケジューリング」を行うように構成されている。  また、スケジューラ１０６は、使用すべきスケジューリングを「通常スケジューリング」から「固定的割り当てスケジューリング」に切り替えるべきであると判断した場合、かかる時点で決定されたパラメータ（後述）に従って、「固定的割り当てスケジューリング」を行うように構成されていてもよい。【００５９】
また、スケジューラ１０６は、使用すべきスケジューリングを「固定的割り当てスケジューリング」から「通常スケジューリング」に切り替えるべきであると判断した場合、「固定的割り当てスケジューリング」を停止し、「通常スケジューリング」を開始するように構成されていてもよい。【００６０】
データバッファ１０８は、上位層データを格納するように構成されている。【００６１】
スケジューラ１０６は、データバッファ１０８に格納されている上位層データから、共有チャネル用データを生成し、移動局２００宛ての共有チャネル用データに対して送信機会を割り当てる。【００６２】
スケジューリング情報生成部１１０は、「固定的割り当てスケジューリング」が行われている場合に使用するスケジューリング情報を生成し、送信部１１２を介して移動局２００に通知する。【００６３】
例えば、スケジューリング情報には、「固定的割り当てスケジューリング」が行われる場合に使用されるパラメータとして、図２に示すような情報の少なくとも一部を含む無線リソースに関する情報（制御情報）が設定される。【００６４】
具体的には、かかる無線リソースに関する情報は、カテゴリ１に、「ユーザＩＤ（ＵＥ  ＩＤ）」と、「リソース割り当て情報（Ｒｅｓｏｕｒｃｅ  ａｓｓｉｇｎｍｅｎｔ）、と、「サブフレーム数（Ｄｕｒａｔｉｏｎ  ａｓｓｉｇｎｍｅｎｔ）」とを含む。【００６５】
また、かかる無線リソースに関する情報は、カテゴリ２に、「マルチアンテナ関連情報（Ｍｕｌｔｉ-ａｎｔｅｎｎａ  ｒｅｌａｔｅｄ  ｉｎｆｏ）」と、「変調方式情報（Ｍｏｄｕｌａｔｉｏｎ  ｓｃｈｅｍｅ）」と、「ペイロードサイズ（Ｐａｙｌｏａｄ  ｓｉｚｅ）」とを含む。【００６６】
さらに、かかる無線リソースに関する情報は、カテゴリ３に、「ハイブリッドＡＲＱプロセスナンバー（Ｈｙｂｒｉｄ  ＡＲＱ  Ｐｒｏｃｅｓｓ）」を含む。【００６７】
スケジューラ１０６は、「固定的割り当てスケジューリング」において、例えば、受信品質・移動速度検出部１０４により入力された受信品質結果或いは移動速度検出結果に応じて、割り当てるべき無線リソースの量を決定するように構成されていてもよいし、予め設定されている一定の無線リソースの量を割り当てるように構成されていてもよい。【００６８】
ＲＲＣ制御部１１４は、通常、「固定的割り当てスケジューリング」により送信されるトラヒックパターンが既知であるデータ以外のデータ、例えば、「通常スケジューリング」により送信されるデータや、トラヒックパターンが既知でないデータに対して、「固定的割り当てスケジューリング」が行われる場合に使用される上述のパラメータが設定されているスケジューリング情報を、移動局２００に通知するように構成されている。【００６９】
例えば、ＲＲＣ制御部１１４は、無線ベアラを設定するタイミングで、かかる無線ベアラに係るスケジューリング情報を、移動局２００に通知する。【００７０】
スケジューリング情報によって、データに対する送信機会の割り当てが行われる可能性のあるタイミング、例えば、フレーム周期、すなわち、共有チャネルが送信される周期を通知するように構成されている。【００７１】
また、スケジューリング情報によって、使用される変調方式や符号化率や、送信するリソースブロックの位置や、ＨＡＲＱの最大再送回数を示す情報を通知するようにしてもよい。【００７２】
また、ＲＲＣ制御部１１４は、スケジューラ１０６において、使用すべきスケジューリングを「通常スケジューリング」から「固定的割り当てスケジューリング」に切り替えるべきであると判断された場合に、かかる「固定的割り当てスケジューリング」で使用されるパラメータを含むスケジューリング情報を、移動局２００に対して送信するように構成されていてもよい。【００７３】
また、ＲＲＣ制御部１１４は、スケジューラ１０６において、使用すべきスケジューリングを「通常スケジューリング」から「固定的割り当てスケジューリング」に切り替えるべきであると判断された場合に、その旨を通知するための切り替え通知を移動局２００に対して送信する。【００７４】
かかる切り替え通知は、使用すべきスケジューリングの切り替えのタイミングを指定する情報を含んでいてもよい。【００７５】
かかる判断は、ＲＲＣ制御部１１４によって行われるよううに構成されていてもよい。かかる場合、ＲＲＣ制御部１１４は、使用すべきスケジューリングを「通常スケジューリング」から「固定的割り当てスケジューリング」に切り替えるべきであると判断した場合に、その旨を通知するための切り替え通知を移動局２００に対して送信する。【００７６】
また、この切り替え通知を、ＭＡＣ制御部１１６によって、ＭＡＣ  ｃｏｎｔｒｏｌ  ＰＤＵとして、移動局２００に対して送信するように構成されていてもよい。この結果、受信側は、「固定的割り当てスケジューリング」に基づいて、データが送信されることが分かる。また、ＭＡＣ  ｃｏｎｔｒｏｌ  ＰＤＵとして、かかる切り替え通知を送信することにより、ＲＲＣによるシグナリングを無くすことができる。【００７７】
次に、本実施例に係る移動局２００について、図３を参照して説明する。【００７８】
移動局２００は、受信部２０２と、スケジューリング情報復号部２０４と、データ復調・復号部２０６と、ＲＲＣ２０８と、ＭＡＣ制御部２１０と、受信品質測定部２１２と、品質情報生成部２１４と、送信部２１６とを備える。【００７９】
基地局１００により送信されたスケジューリング情報は、受信部２０２によって受信され、スケジューリング情報復号部２０４に入力される。【００８０】
スケジューリング情報復号部２０４は、入力されたスケジューリング情報を復号し、復号されたスケジューリング情報を、データ復調・復号部２０６に入力するように構成されている。【００８１】
また、スケジューリング情報復号部２０４は、スケジューリング情報の受信品質（例えば、受信誤り数や受信誤り率等）を測定し、かかる測定結果を受信品質測定部２１２に入力するように構成されている。【００８２】
基地局１００から共有チャネルによって送信されたデータは、受信部２０２によって受信され、データ復調・復号部２０６に入力される。【００８３】
データ復調・復号部２０６は、スケジューリング情報復号部２０４により入力されたスケジューリング情報に基づいて、共有チャネルを介して送信されたデータに対する復号処理を行うように構成されている。【００８４】
基地局１００からパイロットチャネルを介して送信されたパイロット信号は、受信部２０２によって受信され、受信品質測定部２１０に入力される。【００８５】
受信品質測定部２１０は、パイロット信号の受信品質を測定し、かかる測定結果を品質情報生成部２１２に入力するように構成されている。【００８６】
また、受信品質測定部２１０は、スケジューリング情報の受信品質（例えば、Ｌ１/Ｌ２制御チャネルにおける受信誤り数や受信誤り率等）を測定し、かかる測定結果を、品質情報生成部２１２に入力するように構成されていてもよい。【００８７】
品質情報生成部２１２は、入力された受信品質の測定結果から、品質情報を生成し、送信部２１６を介して送信するように構成されている。【００８８】
ＲＲＣ２０８は、基地局１００から通知された「固定的割り当てスケジューリング」が行われる場合に使用されるスケジューリング情報を設定する。すなわち、ＲＲＣ２０８は、通知されたスケジューリング情報を記憶するように構成されている。【００８９】
例えば、ＲＲＣ２０８は、無線ベアラを設定するタイミングで通知されたスケジューリング情報を設定する。或いは、ＲＲＣ２０８は、基地局１００において使用されるスケジューリングを「固定的割り当てスケジューリング」に切り替えるべきであると判断されたタイミングで通知されたスケジューリング情報を設定する。【００９０】
また、ＲＲＣ２０８は、基地局１００から、使用すべきスケジューリングを「通常スケジューリング」から「固定的割り当てスケジューリング」に切り替えべきであることを通知するための切り替え通知を含むＲＲＣメッセージが送信された場合、データ復調・復号部２０６に対して、かかる切り替え通知を送信する。【００９１】
その結果、データ復調・復号部２０６は、予めＲＲＣ２０８に設定されている「固定的割り当てスケジューリング」が行われる場合に使用されるスケジューリング情報に従って、共有チャネルを介して送信されたデータに対する復調処理及び復号処理を行う。【００９２】
或いは、データ復調・復号部２０６は、基地局１００において使用されるスケジューリングを「固定的割り当てスケジューリング」に切り替えるべきであると判断されたタイミングで通知されたスケジューリング情報に従って、共有チャネルを介して送信されたデータに対する復調処理及び復号処理を行う。【００９３】
ＭＡＣ制御部２１０は、ＭＡＣ  ｃｏｎｔｒｏｌ  ＰＤＵとして、上述の切り替え通知が送信された場合、データ復調・復号部２０６に対して、かかる切り替え通知を送信する。【００９４】
その結果、データ復調・復号部２０６は、予めＲＲＣ２０８に設定されている「固定的割り当てスケジューリング」が行われる場合に使用されるスケジューリング情報に従って、共有チャネルを介して送信されたデータに対する復調処理及び復号処理を行う。【００９５】
次に、本実施例に係る基地局（ｅＮｏｄｅＢ）１００の動作について、図４及び図５を参照して説明する。【００９６】
図４に示すように、ステップＳ４０２において、ＲＲＣ制御部１１４は、「固定的割り当てスケジューリング」が行われる場合に使用される無線リソースに関する情報（パラメータ、制御情報）を示すスケジューリング情報を生成し、かかるスケジューリング情報を移動局２００に通知する。【００９７】
例えば、ＲＲＣ制御部１１４は、無線ベアラを設定するタイミングで、移動局２００に対して、かかるスケジューリング情報を通知する。【００９８】
移動局２００は、「通常スケジューリング」が行われている期間でも、スケジューリング情報によって通知された「共有チャネルを介して当該移動局２００宛てのデータが送信される周期」に従って、共有チャネルを介して送信される下りリンクデータに対する受信処理を行う。また、移動局２００は、スケジューリング情報が送信された場合には、かかるスケジューリング情報に対する受信処理を行う。【００９９】
ステップＳ４０４において、受信部１０２は、移動局２００によって送信されたパイロット信号や、伝搬路測定用信号（例えば、Ｍｅａｓｕｒｅｍｅｎｔ報告やＣＱＩレポート等）を受信する。【０１００】
受信部１０２によって受信されたＭｅａｓｕｒｅｍｅｎｔ報告やＣＱＩレポートやパイロット信号（品質情報）は、受信品質・移動速度検出部１０４に入力される。【０１０１】
受信品質・移動速度検出部１０４は、受信部１０２により入力された品質情報に基づいて、受信品質及び移動速度の少なくとも一方を検出し、スケジューラ１０６に入力する。【０１０２】
ステップＳ４０６において、スケジューラ１０６は、入力された受信品質及び移動速度の少なくとも一方の情報に基づいて、使用すべきスケジューリングを「通常スケジューリング」から「固定的割り当てスケジューリング」に切り替えるべきか否かについて判断する。なお、かかる判断は、ＲＲＣ制御部１１４によって行われてもよい。【０１０３】
使用すべきスケジューリングを「通常スケジューリング」から「固定的割り当てスケジューリング」に切り替えるべきであると判断された場合（ステップＳ４０６：ＹＥＳ）、ステップＳ４０８において、スケジューラ１０６は、固定的割り当てスケジューリングに基づいて、共有チャネルを介して、下りリンクデータを送信する。【０１０４】
一方、使用すべきスケジューリングを「通常スケジューリング」から「固定的割り当てスケジューリング」に切り替えるべきでないと判断された場合（ステップＳ４０６：ＮＯ）、ステップＳ４１０において、スケジューラ１０６は、通常スケジューリングに基づいて、非固定的割り当てスケジューリング用共有チャネルで、下りリンクデータを送信する。【０１０５】
図５に示すように、通常スケジューリング期間では、スケジューリング情報（Ｄｏｗｎｌｉｎｋ  Ｓｃｈｅｄｕｌｉｎｇ  ｉｎｆｏ．）による無線リソースの割り当て情報が、共有チャネル（ＤＬ-ＳＣＨ：  Ｄｏｗｎｌｉｎｋ  Ｓｈａｒｅｄ  ＣＨａｎｎｅｌ）に付随するＬ１/Ｌ２制御チャネルを介して送信される。【０１０６】
かかる通常スケジューリング期間においては、伝搬路状態に応じて、変調方式や誤り訂正符号化レート等が適応的に高速に変更される、すなわち、ＡＭＣ（Ａｄａｐｔｉｖｅ  Ｍｏｄｕｌａｔｉｏｎ  ａｎｄ  Ｃｏｄｉｎｇ）が適用される。【０１０７】
その後、基地局１００が、移動局２００におけるスケジューリング情報の受信品質が劣化すると判断した場合、使用するスケジューリングが「通常スケジューリング」から「固定的割り当てスケジューリング」に切り替えられる。【０１０８】
その結果、固定的割り当てスケジューリング期間では、共有チャネルに付随するＬ１/Ｌ２制御チャネルを介してスケジューリング情報を送信することなく、共有データチャネルを介して下りリンクデータを送信する。すなわち、固定的割り当てスケジューリング期間では、ＡＭＣ等の処理を行うことなく、予め決定されたフォーマットで下りリンクデータを送信する。【０１０９】
この場合、移動局２００は、予め通知されたスケジューリング情報に含まれる無線リソースに関する情報に基づいて、当該移動局２００宛ての下りリンクデータに対する復調処理及び復号処理を行う。すなわち、基地局（ｅＮｏｄｅＢ）１００は、予めスケジューリング情報に設定された変調方式や誤り訂正符号化レートによって、当該移動局２００宛ての下りリンクデータを送信する。【０１１０】
なお、本実施形態において、無線ベアラに多重されている複数の論理チャネル（例えば、ＶｏＩＰ通信用の論理チャネル）の各々に対して「固定的割り当てスケジューリング」を使用できるように構成されていてもよい。【０１１１】
本実施例によれば、移動局において、共有制御チャネル（Ｌ１/Ｌ２制御チャネル）の受信品質が保証できない場合には、使用するスケジューリングを「通常スケジューリング」から「固定割り当てスケジューリング」に切り替えることによって、下りリンクデータの送信を行うことができる。【０１１２】
（変更例）
図６を参照にして、本発明の変更例に係る基地局（ｅＮｏｄｅＢ）１００の動作について説明する。【０１１３】
図６に示すように、ステップＳ６０２において、受信部１０２は、移動局２００によって送信されたパイロット信号や、伝搬路測定用信号（例えば、Ｍｅａｓｕｒｅｍｅｎｔ報告やＣＱＩレポート等）を受信する。【０１１４】
受信部１０２によって受信されたＭｅａｓｕｒｅｍｅｎｔ報告やＣＱＩレポートやパイロット信号（品質情報）は、受信品質・移動速度検出部１０４に入力される。【０１１５】
受信品質・移動速度検出部１０４は、受信部１０２により入力された品質情報に基づいて、受信品質及び移動速度の少なくとも一方を検出し、スケジューラ１０６に入力する。【０１１６】
ステップＳ６０４において、スケジューラ１０６は、入力された受信品質及び移動速度の少なくとも一方の情報に基づいて、使用すべきスケジューリングを「通常スケジューリング」から「固定的割り当てスケジューリング」に切り替えるべきか否かについて判断する。なお、かかる判断は、ＲＲＣ制御部１１４によって行われてもよい。【０１１７】
使用すべきスケジューリングを「通常スケジューリング」から「固定的割り当てスケジューリング」に切り替えるべきであると判断された場合（ステップＳ６０４：ＹＥＳ）、ステップＳ６０６において、ＲＲＣ制御部１１４は、「固定的割り当てスケジューリング」が行われる場合に使用される無線リソースに関する情報（パラメータ、制御情報）を示すスケジューリング情報を生成し、かかるスケジューリング情報を移動局２００に通知する。【０１１８】
ステップＳ６０８において、スケジューラ１０６は、固定的割り当てスケジューリングに基づいて、共有チャネルを介して、下りリンクデータを送信する。【０１１９】
一方、使用すべきスケジューリングを「通常スケジューリング」から「固定的割り当てスケジューリング」に切り替えるべきでないと判断された場合（ステップＳ６０４：ＮＯ）、ステップＳ６１０において、スケジューラ１０６は、通常スケジューリングに基づいて、非固定的割り当てスケジューリング用共有チャネルで、下りリンクデータを送信する。【０１２０】
なお、日本国特許出願第２００６-１６９４３７号（２００６年６月１９日出願）の全内容が、参照により、本願明細書に組み込まれている。【０１２１】
また、「Ｅｒｉｃｓｓｏｎ，  Ｒ１−０６００９９，  “Ｐｅｒｓｉｓｔｅｎｔ  Ｓｃｈｅｄｕｌｉｎｇ  ｆｏｒ  Ｅ−ＵＴＲＡ”，  ＴＳＧ−ＲＡＮ  ＷＧ１  ＬＴＥ  ＡｄＨｏｃ，  Ｈｅｌｓｉｎｋｉ，  Ｆｉｎｌａｎｄ，  Ｊａｎｕａｒｙ  ２３−２５，  ２００６」の全内容が、参照により、本願明細書に組み込まれている。【０１２２】
また、「ＱＵＡＬＣＯＭＭ  Ｅｕｒｏｐｅ，  Ｒ１−０６０１７３，  “Ｃｏｎｓｉｄｅｒａｔｉｏｎｓ  ｆｏｒ  ｃｏｎｔｒｏｌ  ｓｉｇｎａｌｌｉｎｇ  ｓｕｐｐｏｒｔ  ｏｆ  Ｒｅａｌ  Ｔｉｍｅ  Ｓｅｒｖｉｃｅｓ”，  ３ＧＰＰ  ＴＳＧ−ＲＡＮ  ＷＧ１  ＬＴＥ  ＡｄＨｏｃ，  Ｈｅｌｓｉｎｋｉ，  Ｆｉｎｌａｎｄ，  Ｊａｎｕａｒｙ  ２３−２５，  ２００６」の全内容が、参照により、本願明細書に組み込まれている。【０１２３】
さらに、「Ｑｕａｌｃｏｍｍ  Ｅｕｒｏｐｅ，  Ｒ２−０６０５５０，  “Ｆｕｒｔｈｅｒ  ｄｅｔａｉｌｓ  ｏｎ  ＨＳ−ＳＣＣＨ−ｌｅｓｓ  ｏｐｅｒａｔｉｏｎ  ｆｏｒ  ＶｏＩＰ  ｔｒａｆｆｉｃ”，  ３ＧＰＰ  ＴＳＧ−ＲＡＮ  ＷＧ２  ｍｅｅｔｉｎｇ  ＃５１，  Ｄｅｎｖｅｒ，  Ｃｏｌｏｒａｄｏ，  ＵＳＡ，  Ｆｅｂｒｕａｒｙ  １３−１７，  ２００６」の全内容が、参照により、本願明細書に組み込まれている。【０１２４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【０１２５】
以上説明したように、本発明の実施例によれば、固定的割り当てスケジューリングと通常スケジューリングとが併用されている場合において、上述のシグナリングチャネルの受信状況に基づいて、使用すべきスケジューリングを、通常スケジューリングから固定的割り当てスケジューリングに切り替えることができる基地局及びスケジューリング方法を提供することができる。
【図１】
0005118033.tif 000002
【図２】
0005118033.tif 000003
【図３】
0005118033.tif 000004
【図４】
0005118033.tif 000005
【図５】
0005118033.tif 000006
【図６】
0005118033.tif 000007